(57)【要約】データプロジェクタは、ビルトイン・プリンタを含む。データプロジェクタは、コンピュータからアナログ・ビデオ・データを受容する。ディジタル変換器へのアナログは、デジタル・フレームストアで記憶のためにビデオ・データを変換する。ボタンをたとえば押すことによりアクティブ化すると、プリンタはフレームストアから情報を印刷する。したがって、投影された画像のプリントの記録は、いかなるコンピュータ・ベースのプリンタ・ドライバもの介入なしで作られることができ、投影されたプレゼンテーションは、分裂なしで続くことができる。【選択図】図１
2004524552.tif 000002
【特許請求の範囲】
【請求項１】
表示表面で画像を投影するためのデータプロジェクタであって、プロジェクタで投影された画像をプリントするためのビルトイン・プリンタを含むデータプロジェクタ。
【請求項２】
コンピュータからポータブルコンクリートである請求項１に記載のデータプロジェクタ。
【請求項３】
プリントリクエストを起動させるアクチベータを含む請求項１に記載のデータプロジェクタ。
【請求項４】
アクチベータがデータプロジェクタのボタンである請求項３に記載のデータプロジェクタ。
【請求項５】
アクチベータがデータプロジェクタのキーパッドで請求項３に記載のデータプロジェクタ。
【請求項６】
アクチベータが、相手局信号トランスミッタに関連するデータプロジェクタ上の信号レシーバを含む請求項３に記載のデータプロジェクタ。
【請求項７】
信号レシーバおよび／またはトランスミッタが赤外線データトランスミッションを使用する請求項６に記載のデータプロジェクタ。
【請求項８】
プリント媒体の供給をストアするための手段をさらに含む請求項１に記載のデータプロジェクタ。
【請求項９】
アナログディジタル変換器がデジタル形にアナログ・イメージデータを変換するプロジェクタがプロジェクタの回路に一体的に形成され、および／またはその回路と関連している、請求項１に記載のデータプロジェクタ。
【請求項１０】
画像のデジタルフォームがフレームストアでストアされる請求項９に記載のデータプロジェクタ。
【請求項１１】
フレームストアから情報を受容し、アクチベータからのインストラクションよりプリントヘッドにその情報を送り出すプリント・エンジンコントロール・チップが作りこまれている請求項１０に記載のデータプロジェクタ。
【請求項１２】
マイクロ制御回路がフレームストアからプリント・エンジンコントロール・チップまで情報を制御する請求項１１に記載のデータプロジェクタ。
【請求項１３】
プリントヘッドがページワイド・プリントヘッドである請求項１１に記載のデータプロジェクタ。
【発明の詳細な説明】
【技術分野】
【０００１】
以下の発明は、内部プリンタを有するデータプロジェクタに関する。さらに詳細には、しかし排他的ではなく、本発明は、ページワイド・ドロップ・オンデマンド・インクジェットプリントヘッドと、プロジェクタ本体に位置するプリント媒体ソースを有するデータプロジェクタに関する。
【背景技術】
【０００２】
ポータブルコンピュータに接続されたデータプロジェクタを使用する一団の人々にプレゼンテーションすることが知られる。妥当なソフトウェアを使用して、ポータブルコンピュータは、プロジェクタを使用したスクリーンに、投影のためのテキストおよび／またはグラフィックイメージのシーケンスを発生させることができる。
【０００３】
ポータブルコンピュータは、また、プリンタに接続されるだろう。しかし、グループのメンバーがスクリーンの上で画像のプリントアウトを必要とする場合、プリンタ・ドライバソフトウェアは、ポータブルコンピュータの作業者によって起動させられなければならない。通常、プリンタ・ドライバ関連のウィンドウは、全てのプリンティング・リクエストのステータスを報告するためにスクリーンに現れる。スクリーン上に投影される画像に現れるので、このようなウィンドウは全てのプレゼンテーションに対して混乱を引き起こす。特にグループの１人の人のみがプリントアウトを必要する場合、これは混乱を引き起こす。
【０００４】
コンピュータとプリンタとの間に必要とされる別個のケーブル接続があるため、プリンタが電源装置を必要とし、電気的な二重のアダプタその他同様のものの使用をおそらく必要とするので、ポータブルコンピュータへの別個のプリンタのアタッチメントはまた一般的に不便である。
【発明の開示】
【発明が解決しようとする課題】
【０００５】
上記の不利益のうちの少なくとも１つを克服し、または実質的に改善することが本発明の目的である。
【０００６】
ビルトイン・プリンタを有するデータプロジェクタを提供することは、本発明の他の目的である。
【０００７】
表示された画像の「スクリーンダンプ」を、一般的にポータブルコンピュータを有するデータプロジェクタを作動するのに必要なものに加えたケーブル接続の必然性なしで印刷する単純な手段を提供することは本発明の更なる目的である。
【０００８】
全てのプリンタ−ドライバ・ソフトウェアによっても変更される画像なしで、データプロジェクタによって投影される画像のプリントの「スクリーンダンプ」を可能にする手段を提供することも、本発明の他の目的である。
【課題が解決しようとする手段】
【０００９】
表示表面で画像を投影するためのデータプロジェクタが本明細書で開示され、データプロジェクタ画像は、プロジェクタによって投影されたプリンティングのためのビルトイン・プリンタを含む。
【００１０】
好ましくは、データプロジェクタは、ポータブルコンピュータからビデオ情報を受容する。
【００１１】
好ましくは、データプロジェクタは、プリントリクエストを起動させるためにアクチベータを含む。
【００１２】
好ましくは、アクチベータはデータプロジェクタのボタンである。
【００１３】
あるいは、アクチベータはデータプロジェクタのキーパッドである。
【００１４】
あるいは、アクチベータは相手局信号トランスミッタと関連するデータプロジェクタ上で、信号レシーバを含む。
【００１５】
好ましくは、信号レシーバおよび／またはトランスミッタは、赤外線データトランスミッションを使用する。
【００１６】
好ましくは、データプロジェクタは、プリント媒体の供給をストアするための手段を有する。
【００１７】
アナログディジタル変換器は、好ましくは、プロジェクタ内の回路と一体化され、および／またはそれと関連され、アナログ・イメージデータをデジタル形に変える。
【００１８】
好ましくは、画像のデジタル形は、フレームストアでストアされる。
【００１９】
好ましくは、プロジェクタもそれに組み込まれ、プリント・エンジンコントロール・チップは、フレームストアからの情報を受容しアクチベータからインストラクションにプリントヘッドにその情報を送り出している。
【００２０】
好ましくは、マイクロ制御回路は、フレームストアからプリント・エンジンコントロール・チップまで情報を制御する。
【００２１】
好ましくは、プリントヘッドはページワイド・プリントヘッドで、たとえば、それは我々の継続出願のＰＣＴ／ＡＵ００／００５９４とＰＣＴ／ＡＵ００／００５７８においてさらに詳細に説明されている。
【００２２】
本発明の好ましい形を、添付図面に関して一例として説明する。
【発明を実施するための最良の形態】
【００２３】
添付図面の図１で、「ＶＧＡ」ケーブル１６によってポータブルコンピュータ１７と相互接続するデータプロジェクタ１０を概略的に示す。ケーブル１６は、ポータブルコンピュータ１７からプロジェクタ１０までアナログ・ビデオ信号を中継する。これらの信号は、たとえば「ＳＶＧＡ」またはスーパービデオグラフィックアダプタ信号等の、一般的に「ＶＧＡ」またはビデオグラフィックアダプタ信号またはより高い解像度画像を提供している信号である。
【００２４】
一般的に、ケーブル１６はコンピュータ１７とプロジェクタ１０との間に延びた唯一のケーブルである。しかし、デスクトップコンピュータが使用されるならば、電源装置ケーブルはまた、コンピュータからプロジェクタまで延びるかもしれない。
【００２５】
プロジェクタ１０は、画像がスクリーンに投影されるレンズ１１を含む。
【００２６】
プリント媒体（図示せず）の記憶装置とプリントヘッド２３とを含むプリンタがプロジェクタ１０のハウジング内に位置する。プリント媒体は、一般的にＡ４大きさの紙である。
【００２７】
プリンティング操作を起動させるために、レンズ１１によって投影される画像のプリントアウトまたは「スクリーンダンプ」を作り出すために、いくつかのアクチベータのうちの１つが提供される。たとえば、単一のプリントボタン１３またはキーパッド１２が提供されるであろう。更なるオプション赤外検出器２４が提供されるだろう。
【００２８】
投影されている画像の単一のプリントが必要とされるそこで、ボタン１３は下へ押されるかもしれない。その結果、薄板１４がプリンタによって作り出される。プロジェクタ１０で投影される画像のシーケンスのあらゆる画像のプリントアウトおよび／または数人の人々へ分配するための単一の画像の多重コピーを作り出すことは、望ましいだろう。これは、キーパッド１２の特定のキーまたはキーの組合わせを押すことによって適用されるかもしれない。
【００２９】
プロジェクタ１０で投影されるプレゼンテーションのプレゼンタは、遠赤外線制御ユニットを保持するだろう。ユニットのキーの窪みは、単一のボタン１３またはキーパッド１２と同じ効果を作り出すために赤外線受信機２４によって読みとられる信号を伝えることができるだろう。キーパッド１２のキーまたはキーの組合わせを押すことと同じこと効果を達成するために必要とされるもの等より複雑な信号が、レシーバ２４に遠赤外線制御ユニットによって伝えられるであろう。
【００３０】
図２に関して、プロジェクタ１０内に位置するプロジェクタ回路１８にケーブル１６によってアナログ・ビデオ信号を伝えているコンピュータ１７が示される。デジタル・フレームストア２０に記憶するためにアナログ・イメージデータをデジタル形に変えるアナログディジタル変換器１９がその回路に関連して、またはそれに加えられる。すなわち、フレームストア２０はレンズ１１で投影されるアナログ画像と等価な全ての所定のタイムデジタル情報も保持する。
【００３１】
フレームストア２０からの情報の出力は、プロジェクター・ハウジング内に位置するプリントヘッド２３を制御するためにプリント・エンジンコントロール・チップ２２によって受容されることができる。マイクロ制御２１は、活性化デバイス１２、１３または２４のうちの１つから、活性化信号を受容し、フレームがフレームストア２０でストアしたフレームをプリントするために、プリントヘッドを制御するようにプリント・エンジンコントロール・チップに指示する。
【００３２】
プリントヘッド２３は、一般的に我々の継続出願ＰＣＴ／ＡＵ００／００５９４とＰＣＴ／ＡＵ００／００５７８で開示される型のページワイド・プリントヘッドである。
【００３３】
図１で示すように、プロジェクター・ハウジングから分配する前にプリントされた情報を受容している間、シートが横切って駆動されるプリント媒体輸送機構とプラテンが、プリントヘッドと関係している。
【００３４】
当業者にとっての明らかな変更と修正は、本発明の範囲を越えるものとみなされないことを認識されたい。たとえば、プリンタ機構をデータプロジェクタに組み込むだけではなく、いかなるビデオ・ディスプレイデバイスにも組み込まれることができる。
【図面の簡単な説明】
【００３５】
【図１】ビルトイン・プリンタとポータブルコンピュータを有するデータプロジェクタとの間の、結合を示す略図である。
【図２】図２はそれによって投影される画像に印刷されることを可能にするためにデータプロジェクタに作られる回路を含む略ブロック図である。
【国際公開パンフレット】
2004524552.tif 000003
2004524552.tif 000004
2004524552.tif 000005
2004524552.tif 000006
2004524552.tif 000007
2004524552.tif 000008
2004524552.tif 000009
2004524552.tif 000010
2004524552.tif 000011
2004524552.tif 000012
【国際調査報告】
2004524552.tif 000013
2004524552.tif 000014
2004524552.tif 000015